(57)【要約】【課題】入力者が描いた図形の描き方を事後的に把握できるようにする。【解決手段】入力部１４は、入力者から、図形を構成する複数の図形要素の手書き入力を順次受け付ける。入力順取得部２０は、入力部１４に対して順次入力される複数の図形要素の入力順を取得する。入力時刻取得部２２は、入力部１４に対して順次入力される各図形要素の入力時刻を取得する。表示制御部２４は、入力順取得部２０が取得した、複数の図形要素の入力順に基づいて、複数の図形要素の入力順が識別可能な態様で複数の図形要素を表示部１６に表示する。また、表示制御部２４は、入力時刻取得部２２が取得した、各図形要素の入力時刻に基づいて、各図形要素の入力時刻が識別可能な態様で複数の図形要素を表示部１６に表示する。【選択図】図１
2019219871.tif 000002
【特許請求の範囲】
【請求項１】
コンピュータを、
入力者から、図形を構成する複数の図形要素の手書き入力を順次受け付ける入力部と、
前記複数の図形要素の入力順を取得する入力順取得部と、
前記入力順が識別可能な態様で前記複数の図形要素を表示部に表示させる表示制御部と、
として機能させることを特徴とする図形要素表示プログラム。
【請求項２】
前記表示制御部は、前記入力順に応じて、各前記図形要素を構成する画素の画素値を段階的に変化させる、
ことを特徴とする請求項１に記載の図形要素表示プログラム。
【請求項３】
少なくとも２つの前記図形要素を構成する画素の画素値がユーザにより指定可能である、
ことを特徴とする請求項２に記載の図形要素表示プログラム。
【請求項４】
コンピュータを、
入力者から、図形を構成する複数の図形要素の手書き入力を順次受け付ける入力部と、
各前記図形要素の入力時刻を取得する入力時刻取得部と、
各前記図形要素の前記入力時刻が識別可能な態様で前記複数の図形要素を表示部に表示させる表示制御部と、
として機能させることを特徴とする図形要素表示プログラム。
【請求項５】
前記表示制御部は、前記図形の入力開始時刻と入力完了時刻との間の入力所要時間に対する、前記入力開始時刻から各前記図形要素の前記入力時刻まで時間の割合を表示させる、
ことを特徴とする請求項４に記載の図形要素表示プログラム。
【請求項６】
前記表示制御部は、前記図形の入力開始時刻と入力完了時刻との間の入力所要時間の一部である部分時間の間に入力された前記図形要素のみを表示させる、
ことを特徴とする請求項４又は５に記載の図形要素表示プログラム。
【請求項７】
前記図形は、前記入力者の脳機能を検査するための図形である、
ことを特徴とする請求項１から６のいずれか１項に記載の図形要素表示プログラム。
【請求項８】
入力者から、図形を構成する複数の図形要素の手書き入力を順次受け付ける入力部と、
前記複数の図形要素の入力順を取得する入力順取得部と、
前記入力順が識別可能な態様で前記複数の図形要素を表示部に表示させる表示制御部と、
を備えることを特徴とする図形要素表示装置。
【請求項９】
入力者から、図形を構成する複数の図形要素の手書き入力を順次受け付ける入力部と、
各前記図形要素の入力時刻を取得する入力時刻取得部と、
各前記図形要素の前記入力時刻が識別可能な態様で前記複数の図形要素を表示部に表示させる表示制御部と、
を備えることを特徴とする図形要素表示装置。
【発明の詳細な説明】
【技術分野】
【０００１】
本発明は、図形要素表示プログラム及び図形要素表示装置に関する。
【背景技術】
【０００２】
従来、入力者が手書き入力した文字（例えば漢字、ひらがな、あるいはカタカナなど）の入力された通りの書き順（筆順）を表示部に表示させる装置が知られている。
【０００３】
例えば、特許文献１には、手書き認識装置において入力された文字に対して、画毎に異なる色を割り振ること、及び、手書き認識装置において入力された文字の各画の書き出し部分に画数を表示することが示唆されている。
【先行技術文献】
【特許文献】
【０００４】
【特許文献１】特開平６−９６２７９号公報
【発明の概要】
【発明が解決しようとする課題】
【０００５】
ところで、入力者に図形を描かせた上で、描かれた図形を評価する場合がある。例えば、従来、レイ複雑図形検査という検査が知られている。レイ複雑図形検査は、図６に示すレイ複雑図形を被検者に見せながら描かせ、あるいは、被検者にレイ複雑図形を一定時間見せた直後に当該図形を見せずにレイ複雑図形を描かせ、あるいは、被検者にレイ複雑図形を一定時間見せた数分後に当該図形を見せずにレイ複雑図形を描かせ、その描画結果によって被検者の脳機能を検査するものである。
【０００６】
このように、入力者が描いた図形を評価する場合において、入力者が描いた図形そのもののみならず、図形の描き方も考慮して評価する場合がある。描き方とは、例えば、図形を構成する複数の図形要素を描いた順序、及び、各図形要素を描くのに要した時間などを含む概念である。例えば、上述のレイ複雑図形検査においては、大きな長方形とその対角線、水平線、及び垂直線をひとまとめにして描いた場合には、これらをバラバラに描いた場合に比して、より脳機能が高いと判定することができる。
【０００７】
図形の描き方を考慮した上で入力者が描いた図形を評価するには、当然ながら評価者は入力者の図形の描き方を把握しなければならない。したがって、従来、入力者が図形を描いている間、評価者は、図形の描き方を把握すべくその様子を見ていなければならなかった。これにより、入力者が描いた図形の効率的な評価を行うことが出来なかった。
【０００８】
本発明の目的は、入力者が描いた図形の描き方を事後的に把握できるようにすることにある。
【課題を解決するための手段】
【０００９】
本発明は、コンピュータを、入力者から、図形を構成する複数の図形要素の手書き入力を順次受け付ける入力部と、前記複数の図形要素の入力順を取得する入力順取得部と、前記入力順が識別可能な態様で前記複数の図形要素を表示部に表示させる表示制御部と、として機能させることを特徴とする図形要素表示プログラムである。
【００１０】
望ましくは、前記表示制御部は、前記入力順に応じて、各前記図形要素を構成する画素の画素値を段階的に変化させる、ことを特徴とする。
【００１１】
望ましくは、少なくとも２つの前記図形要素を構成する画素の画素値がユーザにより指定可能である、ことを特徴とする。
【００１２】
また、本発明は、コンピュータを、入力者から、図形を構成する複数の図形要素の手書き入力を順次受け付ける入力部と、各前記図形要素の入力時刻を取得する入力時刻取得部と、各前記図形要素の前記入力時刻が識別可能な態様で前記複数の図形要素を表示部に表示させる表示制御部と、として機能させることを特徴とする図形要素表示プログラムである。
【００１３】
望ましくは、前記表示制御部は、前記図形の入力開始時刻と入力完了時刻との間の入力所要時間に対する、前記入力開始時刻から各前記図形要素の前記入力時刻まで時間の割合を表示させる、ことを特徴とする。
【００１４】
望ましくは、前記表示制御部は、前記図形の入力開始時刻と入力完了時刻との間の入力所要時間の一部である部分時間の間に入力された前記図形要素のみを表示させる、ことを特徴とする。
【００１５】
望ましくは、前記図形は、前記入力者の脳機能を検査するための図形である、ことを特徴とする。
【００１６】
また、本発明は、入力者から、図形を構成する複数の図形要素の手書き入力を順次受け付ける入力部と、前記複数の図形要素の入力順を取得する入力順取得部と、前記入力順が識別可能な態様で前記複数の図形要素を表示部に表示させる表示制御部と、を備えることを特徴とする図形要素表示装置である。
【００１７】
また、本発明は、入力者から、図形を構成する複数の図形要素の手書き入力を順次受け付ける入力部と、各前記図形要素の入力時刻を取得する入力時刻取得部と、各前記図形要素の前記入力時刻が識別可能な態様で前記複数の図形要素を表示部に表示させる表示制御部と、を備えることを特徴とする図形要素表示装置である。
【発明の効果】
【００１８】
本発明によれば、入力者が描いた図形の描き方を事後的に把握することができる。
【図面の簡単な説明】
【００１９】
【図１】本実施形態に係る図形要素表示装置の構成概略図である。
【図２】複数の図形要素の入力順が表示された例を示す図である。
【図３】各図形要素の入力時刻が表示された例を示す図である。
【図４】図形全体の入力所要時間に対する、入力開始時刻から各図形要素の入力時刻までの時間の割合が表示された例を示す図である。
【図５】指定時間の間に入力された図形要素のみが表示された例を示す図である。
【図６】レイ複雑図形を示す図である。
【発明を実施するための形態】
【００２０】
以下、本発明の実施形態について説明する。図１には、本実施形態に係る図形要素表示装置１０の構成概略図が示されている。図形要素表示装置１０は、パーソナルコンピュータ、スマートフォンやタブレット端末などの携帯端末、あるいはサーバなどであってよいが、図形要素表示装置１０としては、以下に説明する機能を発揮可能な限りにおいてどのような装置であってもよい。
【００２１】
図形要素表示装置１０は、入力者から、図形を構成する複数の図形要素の入力を受け付け、当該複数の図形要素からなる図形を表示する。図形要素とは、例えば、四角形あるいは三角形などの多角形、直線あるいは曲線などの線分、円、あるいは点などを含むものである。
【００２２】
本実施形態では、入力者である被検者は、図形要素表示装置１０に対して、当該被検者の脳機能を検査するための図形を手書き入力する。脳機能の検査とは、例えば、高次脳機能障害の検査、神経心理機能の検査、視覚構成能力や視空間記憶の検査、あるいは、子供の脳の発達具合の検査などを含むものである。なお、高次脳機能障害には、記憶障害、注意障害、遂行機能障害、あるいは社会行動障害などが含まれる。また、神経心理機能には、運動機能、視空間認知機能、記憶・実行機能などが含まれる。本実施形態では、入力者に対してレイ複雑図形検査を行い、入力者は、レイ複雑図形（図６参照）を入力する。なお、入力者が入力する図形はこれに限られるものではない。
【００２３】
記憶部１２は、例えばＲＡＭ（Random Access Memory）、ＲＯＭ（Read Only Memory）、あるいはハードディスクなどを含んで構成される。記憶部１２には、図形要素表示装置１０の各部を動作させるための図形要素表示プログラムが記憶される。また、記憶部１２には、各種の制御データあるいは各種の処理結果データなどが記憶される。
【００２４】
入力部１４は、タッチパネル、ペンタブレット、あるいは物理ボタンなどを含んで構成される。なお、物理ボタンとはタッチパネル上に表示されたボタンではないボタンを意味する。入力部１４は、入力者からの手書き入力を受け付ける。特に、本実施形態では、入力部１４は、入力者から、図形を構成する複数の図形要素の手書き入力を順次受け付ける。
【００２５】
入力部１４においては、入力者の指あるいはスタイラスをタッチパネルあるいはペンタブレットのボードに接触させるタッチ操作、入力者の指などをタッチパネルなどに接触させながら移動させるドラッグ操作、及び入力者の指などをタッチパネルなどから離すデタッチ操作を検出可能となっている。これにより、入力部１４が入力者からの図形要素の手書き入力を受け付け可能となっている。
【００２６】
なお、図形要素表示装置１０がサーバである場合には、図形要素表示装置１０が有する、ネットワークアダプタなどを含んで構成される通信部（不図示）が入力部の機能を発揮する。すなわち、サーバである図形要素表示装置１０においては、当該通信部が、ＬＡＮあるいはインターネットなどの通信回線を介して、タッチパネルあるいはペンタブレットなどを備えた他の装置に対して入力された入力者からの手書き入力を示す情報を受け付ける。
【００２７】
表示部１６は、例えば液晶ディスプレイなどを含んで構成される。表示部１６には、入力者により手書き入力された複数の図形要素から構成される図形、あるいは一部の図形要素などを表示する。
【００２８】
なお、図形要素表示装置１０がサーバである場合には、図形要素表示装置１０と通信可能に接続された他の装置の表示部（液晶ディスプレイなど）が表示部１６の機能を発揮する。その場合は、図形要素表示装置１０から当該他の装置に対して表示指示信号が送信され、当該他の装置は、当該表示指示信号に基づいて図形あるいは一部の図形要素などを当該装置の表示部に表示させる。
【００２９】
制御部１８は、例えばＣＰＵ（Central Processing Unit）あるいはマイクロコントローラなどを含んで構成される。制御部１８は、記憶部１２に記憶された図形要素表示プログラムに従って、図形要素表示装置１０の各部を制御する。また、図１に示される通り、制御部１８は、入力順取得部２０、入力時刻取得部２２、及び表示制御部２４としても機能する。
【００３０】
入力順取得部２０は、入力部１４に対して順次入力される複数の図形要素の入力順を取得する。例えば、入力順取得部２０は、入力部１４が入力者のタッチ操作を検出してからデタッチ操作を検出するまでに描かれた要素を１つの図形要素とみなす。つまり、入力順取得部２０は、タッチ操作後にデタッチ操作を検出した場合に、１つの図形要素が入力されたことを検出し、各図形要素と入力順を示す情報とを関連付けて記憶部１２に記憶させておく。
【００３１】
入力時刻取得部２２は、入力部１４に対して順次入力される各図形要素の入力時刻を取得する。図形要素表示装置１０は、例えばタイマＩＣや水晶振動子、クロックモジュール等を含んで構成され現在時刻を計時する計時部（不図示）を備えており、入力時刻取得部２２は、図形要素の入力を検出する度に、各図形要素と計時部からの出力値（すなわち当該図形要素の入力時刻）とを関連付けて記憶部１２に記憶させておく。
【００３２】
入力時刻取得部２２は、図形の入力開始時刻及び入力完了時刻も取得し、記憶部１２に記憶させておく。例えば、入力開始時刻は、図形の入力が開始されてから初めてタッチ操作を検出した時刻とすることができ、入力完了時刻は、入力者などにより図形の入力が完了したことを示す情報が入力された時点から見て直前にデタッチ操作を検出した時刻とすることができる。入力開始時刻及び入力完了時刻の取得方法は上記以外の方法であってもよい。例えば、１つの図形要素が、当該図形要素が通過する複数の座標からなる座標群で表現されてもよく、入力時刻取得部は、１つの図形要素を構成する各座標の入力時刻（入力者の指あるいはスタイラスが各座標を通過した時刻）を取得するようにしてもよい。また、図形の入力が完了したことを示す情報は、タッチパネルに表示されたボタンを押下することで入力されてもよいが、入力者あるいは評価者の誤操作の可能性をできるだけ低下させる観点から、図形の入力が完了したことを示す情報は、入力部１４に含まれる物理ボタン（電源ボタンあるいはボリュームボタンなど）の押下により入力されるのが好ましい。
【００３３】
表示制御部２４は、入力者の手書き入力に従って、手書き入力された図形要素を逐次表示部１６に表示させる。そして、入力者が図形の描画（図形を構成する全ての図形要素の手書き入力）を完了すると、入力者が手書き入力した複数の図形要素から構成される図形を表示部１６に表示させる。
【００３４】
さらに、表示制御部２４は、入力順取得部２０が取得した、複数の図形要素の入力順に基づいて、複数の図形要素の入力順が識別可能な態様で複数の図形要素を表示する。
【００３５】
複数の図形要素の入力順が識別可能な態様としては種々の態様が考えられる。例えば、図２に示すように、表示制御部２４は、１つの図形要素を示すガイド線３０と、ガイド線３０が示す図形要素の入力順を示す番号３２を図形と共に表示することができる。なお、図２においては、４番目に入力された図形要素に対応するガイド線３０及び番号３２しか表示されていないが、全ての図形要素に対応したガイド線３０及び番号３２が表示されてよい。番号３２の表示位置としては、図形要素との対応が把握可能であればどこでもよいが、例えばガイド線３０の始点近傍に表示されるのが好ましい。また、ガイド線３０の表示は省略されてもよい。
【００３６】
複数の図形要素の入力順が識別可能な他の態様としては、表示制御部２４は、複数の図形要素の入力順に応じて、各図形要素を構成する画素の画素値を段階的に変化させてもよい。すなわち、入力順に並んだ図形要素列において、１番目の図形要素から、入力順が最後の図形要素に向けて、各図形要素の画素値のグラデーションが形成されてもよい。なお、本実施形態では画素値として色相を用いるが、画素値としては、例えば、彩度、明度、あるいは輝度などを採用してもよい。
【００３７】
複数の図形要素を構成する画素の画素値を段階的に変化させる場合、少なくとも２つの図形要素を構成する画素の画素値を評価者あるいは入力者などのユーザによって指定可能となっているのが好ましい。これによれば、例えば、評価者は、１番目の図形要素の色を赤、最後の図形要素の色を青と指定することで、その中間（２番目〜最後から２番目）の図形要素の色を赤から青へ変化してくグラデーションで表示することができる。さらに、３以上の図形要素の画素値を指定可能となっていてもよい。例えば、評価者は、１番目の図形要素の色を赤、入力順において中央の図形要素の色を緑、最後の図形要素の色を青と指定可能となっていてもよい。
【００３８】
なお、複数の図形要素を構成する画素の画素値を段階的に変化させる場合、図形全体の入力が完了しないと各図形要素の画素値が定まらないため、表示制御部２４は、図形全体の入力が完了した後に、複数の図形要素を構成する画素の画素値が段階的に変化した態様で図形を表示させる。入力者が図形を描画している間は、各図形要素は所定の画素値（例えば色は黒）で表示される。
【００３９】
ちなみに、従来、手書き入力された文字の各画を異なる色で表示して入力時の書き順を表示する装置があるが、そのような装置においては、各画の違いをより強調するため、書き順において隣接する画の色は、色差の大きい色に設定されるのが一般的であった。それは、文字においては画毎の書き順が決まっており、その通りに書くことが重要であるからである。例えば、１画目、２画目・・・と書いていくべきであるところ、２画目、１画目・・・と書いてしまったことがより強調して分かるようにする必要があるためである。一方、本実施形態のように、描き方を考慮した上で図形を評価する場合、画毎の細かい入力順よりも、大まかな入力順（例えば大枠を描いてから細かい部分を描くなどの順序）がより好適に把握できるのが望ましい場合が多いため、入力順において隣接する図形要素の画素値の差を大きくするよりも、複数の図形要素の入力順に応じて図形要素の画素値を段階的に変化させるのが適している場合がある。すなわち、画素値のグラデーションにより、複数の図形要素の入力順の大まかな流れが直感的に把握できるようになる。
【００４０】
複数の図形要素の入力順が識別可能な態様としては、上述の態様に限定されず、それ以外の態様を採用してもよい。
【００４１】
また、表示制御部２４は、入力時刻取得部２２が取得した、各図形要素の入力時刻に基づいて、各図形要素の入力時刻が識別可能な態様で複数の図形要素を表示する。
【００４２】
各図形要素の入力時刻が識別可能な態様としては種々の態様が考えられる。例えば、図３に示すように、表示制御部２４は、１つの図形要素を示すガイド線３０と、ガイド線３０が示す図形要素の入力時刻３４を図形と共に表示することができる。なお、図２同様、図３においても、４番目に入力された図形要素に対応するガイド線３０及び入力時刻３４しか表示されていないが、全ての図形要素に対応したガイド線３０及び入力時刻３４が表示されてよい。入力時刻３４の表示位置としては、ガイド線３０との対応が把握可能であればどこでもよいが、例えばガイド線３０の始点近傍に表示されるのが好ましい。また、ガイド線３０の表示は省略されてもよい。なお、各図形要素の入力時刻３４に基づいて、複数の図形要素の入力順も把握することができる。
【００４３】
各図形要素の入力時刻が識別可能な他の態様としては、図４に示すように、表示制御部２４は、入力時刻取得部２２が取得した図形の入力開始時刻と入力完了時刻との間の入力所要時間に対する、入力開始時刻から各図形要素の入力時刻までの時間の割合３６を、入力時刻３４に代えてあるいは加えて表示するようにしてもよい。この場合、図４に示すように、表示制御部２４は、当該図形の入力開始時刻及び入力完了時刻も併せて表示するのが好ましい。図４の表示態様によれば、各図形要素の入力に要した時間をより直感的に把握することができる。例えば、評価者は、被検者がどの描画要素を描くのにより時間を要したかなどをより容易に把握することができる。
【００４４】
各図形要素の入力時刻が識別可能な態様としては、上述の態様に限定されず、それ以外の態様を採用してもよい。
【００４５】
また、表示制御部２４は、入力時刻取得部２２が取得した各図形要素の入力時刻に基づいて、図形を構成する複数の図形要素のうち、当該図形の入力所要時間の一部である部分時間の間に入力された１又は複数の図形要素のみを表示するようにしてもよい。
【００４６】
当該部分時間は、例えば評価者などによって設定可能となっていてもよい。例えば、図５に示すように、表示制御部２４は、入力開始時刻と入力完了時刻との間の入力所要時間を示すバー４０を表示させると共に、バー４０上をスライド移動可能な２つのスライダ４２ａ，４２ｂを表示させる。スライダ４２ａは部分時間の開始時点に対応し、スライダ４２ｂは部分時間の終了時点に対応している。評価者などは、スライダ４２ａ，４２ｂを適宜設定することで部分時間４４を設定できる。
【００４７】
評価者などにより入力所要時間内において部分時間４４が設定されると、表示制御部２４は、入力時刻取得部２２が取得した入力時刻が当該部分時間４４内である図形要素のみを表示する。図５には、部分時間４４が入力所要時間内の４２〜５５％に設定され、割合３６が４２％〜５５％である図形要素のみが表示された例が示されている。なお、図５の例では、部分時間４４内に入力された図形要素と割合３６が示されているが、割合３６に代えてあるいは加えて、入力時刻３４（図３参照）が表示されてもよい。
【００４８】
また、１つの図形要素が、当該図形要素が通過する複数の座標からなる座標群で表現されており１つの図形要素を構成する各座標の入力時刻が取得された場合であって、ある図形要素が、部分時間の開始時点あるいは終了時点を跨いで入力された場合、部分時間内に入力された当該図形要素の一部分のみを表示するようにしてもよい。
【００４９】
なお、図２〜４に示した例では、入力者によって図形を構成する全ての図形要素が入力された後（すなわち図形の描画が完了した後）において、当該図形と共に、各図形要素に対する番号３２、入力時刻３４、又は割合３６が表示されていたが、番号３２、入力時刻３４、又は割合３６は、図形を構成する全ての図形要素の入力が完了する前（すなわち図形を描いている最中）において表示されるようにしてもよい。図形を描いている最中に番号３２、入力時刻３４、又は割合３６を表示するか否かは、入力者あるいは評価者により切替可能（設定可能）となっているのが好ましい。
【００５０】
また、評価者などによるさらなる解析に用いるために、制御部１８は、図形要素毎の入力順及び入力時刻をテキストデータ（テキストファイル）で出力可能となっていてもよい。図形要素の入力時刻としては、入力を開始した開始時刻、及び入力を終了した終了時刻の両方をテキストデータに含めるのが好ましい。
【００５１】
以上説明した通り、本実施形態によれば、入力者によって図形が描かれた後において、当該図形を構成する複数の図形要素が、その入力順が識別可能な態様で表示され、あるいは、その入力時刻が識別可能な態様で表示される。これにより、評価者は、事後的に、すなわち入力者が全ての図形要素を入力した後（図形の描画が完了した後）において、入力者の図形の描き方、つまり複数の図形要素の入力順あるいは各図形要素の入力時刻を把握することができる。これにより、入力者が描いた図形の効率的な評価が可能にある。
【００５２】
以上、本発明に係る実施形態を説明したが、本発明は上記実施形態に限られるものではなく、本発明の趣旨を逸脱しない限りにおいて種々の変更が可能である。
【符号の説明】
【００５３】
１０  図形要素表示装置、１２  記憶部、１４  入力部、１６  表示部、１８  制御部、２０  入力順取得部、２２  入力時刻取得部、２４  表示制御部。
【図１】
2019219871.tif 000003
【図２】
2019219871.tif 000004
【図３】
2019219871.tif 000005
【図４】
2019219871.tif 000006
【図５】
2019219871.tif 000007
【図６】
2019219871.tif 000008
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
コンピュータを、
入力者から、図形を構成する複数の図形要素の手書き入力を順次受け付ける入力部と、
前記複数の図形要素の入力順を取得する入力順取得部と、
前記入力順が識別可能な態様で前記複数の図形要素を表示部に表示させる表示制御部と、
として機能させ、
前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、
ことを特徴とする図形要素表示プログラム。
【請求項２】
少なくとも２つの前記図形要素を構成する画素の画素値がユーザにより指定可能である、
ことを特徴とする請求項１に記載の図形要素表示プログラム。
【請求項３】
コンピュータを、
入力者から、図形を構成する複数の図形要素の手書き入力を順次受け付ける入力部と、
各前記図形要素の入力時刻を取得する入力時刻取得部と、
各前記図形要素の前記入力時刻が識別可能な態様で前記複数の図形要素を表示部に表示させる表示制御部と、
として機能させ、
前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、
ことを特徴とする図形要素表示プログラム。
【請求項４】
前記表示制御部は、前記図形の入力開始時刻と入力完了時刻との間の入力所要時間に対する、前記入力開始時刻から各前記図形要素の前記入力時刻まで時間の割合を表示させる、
ことを特徴とする請求項３に記載の図形要素表示プログラム。
【請求項５】
前記表示制御部は、前記図形の入力開始時刻と入力完了時刻との間の入力所要時間の一部である部分時間の間に入力された前記図形要素のみを表示させる、
ことを特徴とする請求項３又は４に記載の図形要素表示プログラム。
【請求項６】
前記図形は、前記入力者の脳機能を検査するための図形である、
ことを特徴とする請求項１から５のいずれか１項に記載の図形要素表示プログラム。
【請求項７】
入力者から、図形を構成する複数の図形要素の手書き入力を順次受け付ける入力部と、
前記複数の図形要素の入力順を取得する入力順取得部と、
前記入力順が識別可能な態様で前記複数の図形要素を表示部に表示させる表示制御部と、
を備え、
前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、
ることを特徴とする図形要素表示装置。
【請求項８】
入力者から、図形を構成する複数の図形要素の手書き入力を順次受け付ける入力部と、
各前記図形要素の入力時刻を取得する入力時刻取得部と、
各前記図形要素の前記入力時刻が識別可能な態様で前記複数の図形要素を表示部に表示させる表示制御部と、
を備え、
前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、
ることを特徴とする図形要素表示装置。
【手続補正２】
【補正対象書類名】明細書
【補正対象項目名】０００９
【補正方法】変更
【補正の内容】
【０００９】
本発明は、コンピュータを、入力者から、図形を構成する複数の図形要素の手書き入力を順次受け付ける入力部と、前記複数の図形要素の入力順を取得する入力順取得部と、前記入力順が識別可能な態様で前記複数の図形要素を表示部に表示させる表示制御部と、として機能させ、前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、ことを特徴とする図形要素表示プログラムである。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】変更
【補正の内容】
【００１２】
また、本発明は、コンピュータを、入力者から、図形を構成する複数の図形要素の手書き入力を順次受け付ける入力部と、各前記図形要素の入力時刻を取得する入力時刻取得部と、各前記図形要素の前記入力時刻が識別可能な態様で前記複数の図形要素を表示部に表示させる表示制御部と、として機能させ、前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、ことを特徴とする図形要素表示プログラムである。
【手続補正５】
【補正対象書類名】明細書
【補正対象項目名】００１６
【補正方法】変更
【補正の内容】
【００１６】
また、本発明は、入力者から、図形を構成する複数の図形要素の手書き入力を順次受け付ける入力部と、前記複数の図形要素の入力順を取得する入力順取得部と、前記入力順が識別可能な態様で前記複数の図形要素を表示部に表示させる表示制御部と、を備え、前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、
ることを特徴とする図形要素表示装置である。
【手続補正６】
【補正対象書類名】明細書
【補正対象項目名】００１７
【補正方法】変更
【補正の内容】
【００１７】
また、本発明は、入力者から、図形を構成する複数の図形要素の手書き入力を順次受け付ける入力部と、各前記図形要素の入力時刻を取得する入力時刻取得部と、各前記図形要素の前記入力時刻が識別可能な態様で前記複数の図形要素を表示部に表示させる表示制御部と、を備え、前記表示制御部は、前記図形全体の入力が完了することで確定した前記図形を構成する前記図形要素の数に基づいて、最初に入力された前記図形要素から最後に入力された前記図形要素へ向けて、各前記図形要素を構成する画素の画素値を段階的に変化させる、ることを特徴とする図形要素表示装置である。